(57)【要約】  電子機器（１００）に対するＴＰ操作（タッチパネル操作）が検出装置（２０）により検出されると、表示装置（１）は、前記ＴＰ操作の検出後における直近の走査期間のタイミングを、従来のタイミング（ａ）、すなわち前記ＴＰ操作が前記非走査期間中に検出されなかった場合に予定されているタイミングよりも早める（前倒しする）ようにした（ｂ）。
2012137816.tif 000002
【特許請求の範囲】
【請求項１】
複数の画素に画像データを供給する走査期間と前記画像データを供給しない非走査期間とを交互に繰り返して、前記画素が保持する画像データの書き換えを繰り返し行う表示装置であって、
当該表示装置を備えた電子機器に対するユーザの所定の操作及び前記電子機器への外部からの電波の少なくとも何れか一方の検出対象を検出する検出装置により前記検出対象が検出されると、該検出後における直近の走査期間を、前記検出対象が検出されなかった場合に予定されていたタイミングより早いタイミングに設けることを特徴とする表示装置。
【請求項２】
前記検出装置により前記検出対象が検出されると、前記直近の走査期間を前記検出対象が検出された直後のタイミングに設けることを特徴とする請求項１に記載の表示装置。
【請求項３】
前記直近の走査期間のタイミングを早めた後における前記非走査期間の長さを、前記直近の走査期間のタイミングを早める前の前記非走査期間の長さより短くすることにより、前記走査期間の周期を前記直近の走査期間のタイミングを早める前の前記走査期間の周期より短くすることを特徴とする請求項１又は２に記載の表示装置。
【請求項４】
前記直近の走査期間のタイミングを早めた後は前記非走査期間を設けることなく前記走査期間を連続させることを特徴とする請求項３に記載の表示装置。
【請求項５】
１フレーム内で所定の周期で前記複数の画素を備える表示素子へ印加する電圧の極性を反転させることを特徴とする請求項１〜４の何れか一項に記載の表示装置。
【請求項６】
上記電圧の極性の反転がドット反転であることを特徴とする請求項５に記載の表示装置。
【請求項７】
前記検出装置は、当該表示装置の表示画面に備えられたタッチパネルを有し、
前記所定の操作は、前記タッチパネルに対する接触または接近であり、
前記検出装置は、前記タッチパネルに対する接触または接近を検出することを特徴とする請求項１〜６の何れか一項に記載の表示装置。
【請求項８】
前記検出装置は、外部からの前記電波を検出する無線周波数回路であることを特徴とする請求項１〜７の何れか一項に記載の表示装置。
【請求項９】
前記複数の画素は、一方向に伸びる複数の走査信号線と、他方向に伸びる複数のデータ信号線との交差部に対応して設けられ、
前記走査信号線を選択状態とする信号である選択信号を、各走査信号線に順次印加する走査線駆動回路と、
各データ信号線に画像データを書き込む信号線駆動回路と、
外部から入力された垂直同期信号に基づいて、前記選択信号を前記走査線駆動回路に出力するとともに、外部から入力された水平同期信号に基づいて、前記画像データの書き込みを指示する信号である書込指示信号を、前記信号線駆動回路に出力するタイミングコントローラとを備え、
前記信号線駆動回路は、前記データ信号線の本数に応じた数の信号線駆動部を有し、
いずれか１つの前記信号線駆動部は、前記検出装置に対して、前記検出対象の検出を指示する検出指示信号の出力を、前記非走査期間において行うことを特徴とする請求項１〜８の何れか一項に記載の表示装置。
【請求項１０】
前記検出装置が前記検出対象を検出すると、前記検出装置による検出動作の周期を、前記検出対象を検出する前に比して短くさせることを特徴とする請求項１〜９の何れか一項に記載の表示装置。
【請求項１１】
表示素子を構成する前記複数の画素の各々のＴＦＴの半導体層には、酸化物半導体が用いられていることを特徴とする請求項１〜１０の何れか一項に記載の表示装置。
【請求項１２】
前記酸化物半導体は、ＩＧＺＯであることを特徴とする請求項１１に記載の表示装置。
【請求項１３】
液晶表示装置であることを特徴とする請求項１〜１２の何れか一項に記載の表示装置。
【請求項１４】
有機エレクトロルミネッセンス表示装置であることを特徴とする請求項１〜１２の何れか一項に記載の表示装置。
【請求項１５】
請求項１〜１４の何れか一項に記載の表示装置と、前記検出装置とを備えることを特徴とする電子機器。
【請求項１６】
当該電子機器の全体の制御を行う制御部を更に備え、
前記制御部と前記表示装置とが通信可能に接続されており、
前記制御部は、前記検出装置により前記検出対象が検出されたか否かの情報を前記表示装置に送信し、
前記表示装置は、前記制御部から取得した前記情報に応じた前記走査期間の周期で、前記直近の走査期間のタイミングを早めた後の画像データの書き換えを行うことを特徴とする請求項１５に記載の電子機器。
【請求項１７】
複数の画素に画像データを供給する走査期間と前記画像データを供給しない非走査期間とを交互に繰り返して、前記画素が保持する画像データの書き換えを繰り返し行う表示装置を備えた電子機器であって、
当該電子機器に対するユーザの所定の操作及び当該電子機器への外部からの電波の少なくとも何れか一方の検出対象を検出する検出装置を備え、
前記検出装置は、前記検出対象を検出すると、前記検出動作の周期を、前記検出対象を検出する前に比して短くすることを特徴とする電子機器。
【請求項１８】
複数の画素に画像データを供給する走査期間と前記画像データを供給しない非走査期間とを交互に繰り返して、前記画素が保持する画像データの書き換えを繰り返し行う表示装置の制御方法であって、
当該表示装置を備えた電子機器に対するユーザの所定の操作及び前記電子機器への外部からの電波の少なくとも何れか一方の検出対象を検出する検出装置により前記検出対象が検出されると、該検出後における直近の走査期間を、前記検出対象が検出されなかった場合に予定されていたタイミングより早いタイミングに設けることを特徴とする表示装置の制御方法。
【請求項１９】
複数の画素に画像データを供給する走査期間と前記画像データを供給しない非走査期間とを交互に繰り返して、前記画素が保持する画像データの書き換えを繰り返し行う表示装置と、当該電子機器に対するユーザの所定の操作及び当該電子機器への外部からの電波の少なくとも何れか一方の検出対象を検出する検出装置とを備えた電子機器の制御方法であって、
前記検出装置は、前記検出対象を検出すると、前記検出動作の周期を、前記検出対象を検出する前に比して短くすることを特徴とする電子機器の制御方法。
【発明の詳細な説明】
【技術分野】
【０００１】
本発明は、表示装置、表示装置の制御方法、前記表示装置とタッチパネル等の入力装置とを備えた電子機器及び電子機器の制御方法に関する。
【背景技術】
【０００２】
近年、例えば携帯電話、スマートフォン、或いは、ラップトップ型パーソナルコンピュータなどの電子機器には、液晶表示装置に代表される薄型、軽量及び低消費電力の表示装置の搭載が進んでいる。【０００３】
また、今後、より薄型の表示装置である電子ペーパーの開発及び普及も急速に進むことが期待されている。このような状況の中、現在、各種の表示装置において消費電力を低減させることが共通の課題となっている。【０００４】
特許文献１には、消費電力の低減を目的として、画面を１回走査する走査期間よりも長い非走査期間であって、全走査信号線を非走査状態とする休止期間を設けることで低消費電力を実現する低消費電力モードを有する表示装置の駆動方法が開示されている。
【先行技術文献】
【特許文献】
【０００５】
【特許文献１】日本国公開特許公報「特開２００１−３１２２５３号公報（公開日：２００１年１１月９日）」
【発明の概要】
【発明が解決しようとする課題】
【０００６】
前記特許文献１のように非走査期間（休止期間）を設ける構成においては、次の走査期間がくるまで、表示画面に表示させる画像の画像データが書き換えられない。そのため、ユーザが例えば現在表示画面に表示中の画像の次の画像を前記表示画面に表示させる等の意図で何らかの操作を行っても、その操作が非走査期間中に行われたときには、次の走査期間がくるまで現在表示中の画像が表示画面に表示される状態が続くことになる。【０００７】
このように、従来の表示装置では、ユーザの操作が非走査期間中に行われた場合、ユーザが何らかの操作をしても直ぐにはその操作に対する画像データの書き換えが行われなかった。すなわち、ユーザの操作タイミングと、その操作に対応する画像データの書き換えタイミング（画像の更新タイミング）との間にタイムラグが生じていた。【０００８】
そして、特許文献１の技術のように非走査期間（休止期間）が比較的長い場合は、前記タイムラグが大きくなり、ユーザの操作に対する電子機器のレスポンスがユーザの意図したものと大きくずれることになる。そのため、利便性や操作性の点で電子機器に対する不満をユーザに感じさせる可能性がある。【０００９】
本発明は、前記の問題に鑑みてなされたものであり、消費電力の低減を図りつつ、ユーザの操作タイミングと、その操作に対応する画像データの書き換えタイミング（画像の更新タイミング）との間のタイムラグを短縮することのできる表示装置、表示装置の制御方法、該表示装置を備えた電子機器及び電子機器の制御方法を提供することを目的とする。
【課題を解決するための手段】
【００１０】
本発明に係る表示装置は、前記の課題を解決するために、複数の画素に画像データを供給する走査期間と前記画像データを供給しない非走査期間とを交互に繰り返して、前記画素が保持する画像データの書き換えを繰り返し行う表示装置であって、当該表示装置を備えた電子機器に対するユーザの所定の操作及び前記電子機器への外部からの電波の少なくとも何れか一方の検出対象を検出する検出装置により前記検出対象が検出されると、該検出後における直近の走査期間を、前記検出対象が検出されなかった場合に予定されていたタイミングより早いタイミングに設けるものである。【００１１】
また、本発明に係る表示装置の制御方法は、前記の課題を解決するために、複数の画素に画像データを供給する走査期間と前記画像データを供給しない非走査期間とを交互に繰り返して、前記画素が保持する画像データの書き換えを繰り返し行う表示装置の制御方法であって、当該表示装置を備えた電子機器に対するユーザの所定の操作及び前記電子機器への外部からの電波の少なくとも何れか一方の検出対象を検出する検出装置により前記検出対象が検出されると、該検出後における直近の走査期間を、前記検出対象が検出されなかった場合に予定されていたタイミングより早いタイミングに設けるものである。【００１２】
前記構成及び制御方法によれば、表示装置を備えた電子機器に対するユーザの所定の操作及び電子機器への外部からの電波の少なくとも何れか一方の検出対象が検出されると、該検出後における直近の走査期間を、前記検出対象が検出されなかった場合に予定されていたタイミングより早いタイミングに設けるようにしたので、前記検出対象の検出タイミングと、その検出に対応する画像データの書き換えタイミング（画像の更新タイミング）との間のタイムラグを無くす若しくはできるだけ短縮することができる。【００１３】
これにより、例えば前記所定の操作に対する表示装置のレスポンスがユーザの意図したものと大きくずれることを回避でき、利便性や操作性の点で表示装置に対する不満をユーザに感じさせるのを防止又は抑制することができる。【００１４】
また、本発明に係る電子機器は、前記の課題を解決するために、複数の画素に画像データを供給する走査期間と前記画像データを供給しない非走査期間とを交互に繰り返して、前記画素が保持する画像データの書き換えを繰り返し行う表示装置を備えた電子機器であって、当該電子機器に対するユーザの所定の操作及び当該電子機器への外部からの電波の少なくとも何れか一方の検出対象を検出する検出装置を備え、前記検出装置は、前記検出対象を検出すると、前記検出動作の周期を、前記検出対象を検出する前に比して短くすることを特徴とするものである。【００１５】
また、本発明に係る電子機器の制御方法は、前記の課題を解決するために、複数の画素に画像データを供給する走査期間と前記画像データを供給しない非走査期間とを交互に繰り返して、前記画素が保持する画像データの書き換えを繰り返し行う表示装置と、当該電子機器に対するユーザの所定の操作及び当該電子機器への外部からの電波の少なくとも何れか一方の検出対象を検出する検出装置とを備えた電子機器の制御方法であって、前記検出装置は、前記検出対象を検出すると、前記検出動作の周期を、前記検出対象を検出する前に比して短くすることを特徴とするものである。【００１６】
前記検出に対応する画像データの更新タイミングを、できる限り検出タイミングに近づける方法としては、前記直近の走査期間を前倒しする方法の他、前記検出対象の検出処理を周期的（間欠的）に行っている構成では、前記検出対象をできるだけ早いタイミングで検出することが考えられる。【００１７】
そこで、前記検出対象を検出すると、前記検出動作の周期を、前記検出対象を検出する前に比して短くすることにより、前記検出対象の検出後に行われ得る前記検出対象をできるだけ早いタイミングで検出することができる。【００１８】
その結果、前記直近の走査期間を前倒しした後において、電子機器に対して例えば前記所定の操作が行われた場合に、その操作に対する電子機器のレスポンスがユーザの意図したものと大きくずれることを回避でき、利便性や操作性の点で電子機器に対する不満をユーザに感じさせるのを防止又は抑制することができる。
【発明の効果】
【００１９】
本発明に係る表示装置は、複数の画素に画像データを供給する走査期間と前記画像データを供給しない非走査期間とを交互に繰り返して、前記画素が保持する画像データの書き換えを繰り返し行う表示装置であって、当該表示装置を備えた電子機器に対するユーザの所定の操作及び前記電子機器への外部からの電波の少なくとも何れか一方の検出対象を検出する検出装置により前記検出対象が検出されると、該検出後における直近の走査期間を、前記検出対象が検出されなかった場合に予定されていたタイミングより早いタイミングに設けるものである。【００２０】
また、本発明に係る表示装置の制御方法は、複数の画素に画像データを供給する走査期間と前記画像データを供給しない非走査期間とを交互に繰り返して、前記画素が保持する画像データの書き換えを繰り返し行う表示装置の制御方法であって、当該表示装置を備えた電子機器に対するユーザの所定の操作及び前記電子機器への外部からの電波の少なくとも何れか一方の検出対象を検出する検出装置により前記検出対象が検出されると、該検出後における直近の走査期間を、前記検出対象が検出されなかった場合に予定されていたタイミングより早いタイミングに設けるものである。【００２１】
前記構成及び制御方法によれば、前記検出対象の検出タイミングと、その検出に対応する画像データの書き換えタイミング（画像の更新タイミング）との間のタイムラグを無くす若しくはできるだけ短縮することができるという効果を奏する。【００２２】
本発明に係る電子機器は、複数の画素に画像データを供給する走査期間と前記画像データを供給しない非走査期間とを交互に繰り返して、前記画素が保持する画像データの書き換えを繰り返し行う表示装置を備えた電子機器であって、当該電子機器に対するユーザの所定の操作及び当該電子機器への外部からの電波の少なくとも何れか一方の検出対象を検出する検出装置を備え、前記検出装置は、前記検出対象を検出すると、前記検出動作の周期を、前記検出対象を検出する前に比して短くするものである。【００２３】
また、本発明に係る電子機器の制御方法は、複数の画素に画像データを供給する走査期間と前記画像データを供給しない非走査期間とを交互に繰り返して、前記画素が保持する画像データの書き換えを繰り返し行う表示装置と、当該電子機器に対するユーザの所定の操作及び当該電子機器への外部からの電波の少なくとも何れか一方の検出対象を検出する検出装置とを備えた電子機器の制御方法であって、前記検出装置は、前記検出対象を検出すると、前記検出動作の周期を、前記検出対象を検出する前に比して短くするものである。【００２４】
前記構成及び制御方法によれば、前記検出対象の検出後に行われ得る前記検出対象をできるだけ早いタイミングで検出することができるという効果を奏する。
【図面の簡単な説明】
【００２５】
【図１】（ａ）は、従来における表示パネル部の駆動態様を示すタイミングチャート、（ｂ）は、第１の実施形態における表示パネル部の駆動態様を示すタイミングチャートである。
【図２】図２は、本発明に係る電子機器の全体構成例を示す図である。
【図３】本発明に係る電子機器における表示装置の表示パネル部を駆動する際の各種信号波形を示す図である。
【図４】（ａ）は、信号線駆動回路の内部構成、特に出力部分を示す図であり、（ｂ）は、ＡＭＰ＿Ｅｎａｂｌｅ信号の波形を示す図である。
【図５】（ａ）は、従来の表示装置における信号線駆動回路の内部構成、特に出力部分を示す図であり、（ｂ）は、従来の表示装置における信号線駆動回路の消費電流波形を示す図である。
【図６】本発明に係る電子機器の他の全体構成例を示す図である。
【図７】第２の実施形態における表示パネル部の駆動態様を示すタイミングチャートである。
【図８】（ａ）は、変更する周期の導出を表示装置で行う構成を示す図であり、（ｂ）は、変更する周期の導出を全体制御部で行う構成を示す図である。
【図９】（ａ）は、従来の表示パネル部の駆動態様を示すタイミングチャート、（ｂ）は、第４の実施形態における表示パネル部の駆動態様を示すタイミングチャートである。
【図１０】（ａ）は、表示パネル部の駆動態様を示すタイミングチャート、（ｂ）は、第５の実施形態におけるＴＰ検出動作制御信号を示すタイミングチャート、（ｃ）は、ＴＰ操作の検出動作を示すタイミングチャート、（ｄ）は、従来のＴＰ操作の検出動作を示すタイミングチャートである。
【図１１】本発明に係る電子機器の変形例を示す説明図である。
【図１２】ソース反転の一例を示す図である。
【図１３】図１２と画素電極の配置が異なる場合におけるソース反転の一例を示す図である。
【図１４】ライン反転の一例を示す図である。
【図１５】ドット反転の一例を示す図である。
【図１６】前記電子機器における表示装置の表示パネル部が備えるＴＦＴの特性を示すグラフであり、詳細には、酸化物半導体を用いたＴＦＴ、ａ−Ｓｉを用いたＴＦＴ、およびＬＴＰＳを用いたＴＦＴの各々における、ゲートに供給されるオン電圧の電圧値に対する、ソース−ドレイン間の電流量の特性を示すグラフである。
【発明を実施するための形態】
【００２６】
以下、本発明に係る実施形態につき図１〜図１６を参照しつつ説明する。
【００２７】
［第１の実施形態］
（電子機器１００の構成の説明）
本実施形態に係る電子機器１００の構成につき図２を参照して説明する。図２は、電子機器１００の電気的な構成を示す図である。
【００２８】
電子機器１００として、携帯電話、スマートフォン、ラップトップ型パーソナルコンピュータ、或いは有機ＥＬ装置や液晶表示装置をはじめとする表示装置などの電子機器が想定され得る。図２に示すように、電子機器１００は、表示装置１と、検出装置２０と、全体制御部３０とを有する。
【００２９】
表示装置１は、表示パネル部２、走査線駆動回路（ゲートドライバ）４、信号線駆動回路（ソースドライバ）６、共通電極駆動回路８、タイミングコントローラ１０及び電源生成回路１３を備えている。タイミングコントローラ１０は、制御信号出力部１２を備えている。
【００３０】
表示パネル部２は、マトリクス状に配置された複数の画素により構成される画面と、前記画面を線順次に選択して走査するためのＮ本（Ｎは任意の整数）の走査信号線Ｇ（ゲートライン）と、選択されたラインに含まれる一行分の画素にデータ信号を供給するＭ本（Ｍは任意の整数）のデータ信号線Ｓ（ソースライン）とを備えている。走査信号線Ｇとデータ信号線Ｓとは互いに交差している。表示パネル部２は、表示素子に相当する。
【００３１】
図２に示すＧ（ｎ）はｎ本目（ｎは任意の整数）の走査信号線Ｇを表す。例えば走査信号線Ｇ（１）、Ｇ（２）及びＧ（３）は、それぞれ１本目、２本目及び３本目の走査信号線Ｇを表す。一方、データ信号線Ｓ（ｉ）はｉ本目（ｉは任意の整数）のデータ信号線Ｓを表す。たとえば、データ信号線Ｓ（１）、Ｓ（２）及びＳ（３）は、１本目、２本目及び３本目のデータ信号線Ｓを表す。
【００３２】
なお、本実施形態は、説明の簡便のため等価回路を対象にした駆動を例にしており、表示パネル部２内の各画素にはＴＦＴが設けられており、ＴＦＴのドレイン電極は画素電極に接続されている。
【００３３】
走査線駆動回路４は、各走査信号線Ｇを画面の上から下に向かって線順次走査する。その際、画素に備えられ画素電極に接続されるスイッチング素子（ＴＦＴ）をオン状態にさせるための矩形波（ゲートクロック信号（選択信号））を各走査信号線Ｇに順次出力する。これにより、画面内の１行分の画素を選択状態にする。
【００３４】
信号線駆動回路６は、タイミングコントローラ１０から入力された映像信号（図２の矢印Ｆ）から、選択された１行分の各画素に出力すべき電圧の値を算出し、その値の電圧を各データ信号線Ｓに出力する。その結果、選択された走査信号線Ｇ上にある各画素に対して画像データを供給する。
【００３５】
表示装置１は、画面内の各画素に対して、更に共通電極（ＣＯＭ：不図示）を備えている。共通電極駆動回路８は、タイミングコントローラ１０から入力される極性反転信号（矢印Ｂ）に基づき、所定の共通電圧を共通電極に出力することで共通電極を駆動する。
【００３６】
タイミングコントローラ１０は、入力映像同期信号として、水平同期信号（Ｈｓｙｎｃ）、垂直同期信号（Ｖｓｙｎｃ）が入力される（矢印Ａ）。タイミングコントローラ１０は、入力されたクロック、垂直同期信号Ｖｓｙｎｃ及び水平同期信号Ｈｓｙｎｃに基づき、各回路が同期して動作するための基準となる映像同期信号として、水平同期制御信号（ＧＣＫなど）および垂直同期制御信号（ＧＳＰなど）を生成する。そして、タイミングコントローラ１０は、生成した水平同期制御信号（ＧＣＫなど）および垂直同期制御信号（ＧＳＰなど）を、走査線駆動回路４、信号線駆動回路６に出力する（矢印Ｅ，Ｆ）。
【００３７】
タイミングコントローラ１０は、走査線駆動回路４に対して、水平同期制御信号および垂直同期制御信号を出力する。また、タイミングコントローラ１０は、信号線駆動回路６に対して、水平同期制御信号、および、入力画像に応じた映像信号を出力する。
【００３８】
水平同期制御信号は、信号線駆動回路６において、入力された映像信号を表示パネル部２へ出力するタイミングを制御する出力タイミング信号として使用される。また、水平同期制御信号は、走査線駆動回路４において、表示パネル部２へゲートクロック信号（選択信号）を出力するタイミングを制御するタイミング信号として使用される。さらに、垂直同期制御信号は、走査線駆動回路４において、走査信号線Ｇの走査スタートのタイミングを制御するタイミング信号として使用される。
【００３９】
なお、本明細書において、特段の断りがない限り、「１垂直期間」とは、前記垂直同期制御信号により規定される期間を意味し、「１水平期間」とは、前記水平同期制御信号により規定される期間を意味する。
【００４０】
走査線駆動回路４は、タイミングコントローラ１０から受け取った水平同期制御信号および垂直同期制御信号に従って、表示パネル部２の走査を開始し、各走査信号線Ｇを順次選択してゲートクロック信号（選択信号）を出力する。
【００４１】
信号線駆動回路６は、タイミングコントローラ１０から受け取った水平同期制御信号（書込指示信号）に従って、タイミングコントローラ１０から受け取った映像信号に基づく画像データ（データ信号）を、表示パネル部２の各データ信号線Ｓに書き込む。
【００４２】
電源生成回路１３は、表示装置１内の各回路が動作するために必要な電圧である電圧Ｖｄｄ、Ｖｄｄ２、Ｖｃｃ、Ｖｇｈ及びＶｇｌを生成する。そして、電圧Ｖｃｃ、Ｖｇｈ、Ｖｇｌを走査線駆動回路４に出力し、電圧Ｖｄｄ及びＶｃｃを信号線駆動回路６に出力し、電圧Ｖｃｃをタイミングコントローラ１０に出力し、電圧Ｖｄｄ２を共通電極駆動回路８に出力する。
【００４３】
（検出装置２０の説明）
図２に示すように、検出装置２０は、表示装置１及び全体制御部３０と通信可能に接続されている。検出装置２０は、電子機器１００に対するユーザの所定の操作を検出する検出部２１と、検出部２１の動作を制御する検出制御部２２とを備える。
【００４４】
本実施形態においては、検出部２１は、例えばタッチパネル、特に投影型静電容量方式タッチパネルであり、表示装置１の表示画面に備えられている。また、前記所定の操作として、前記タッチパネルに対する接触（タッチ）または接近を想定する。
【００４５】
投影型静電容量方式のタッチパネルの場合、検出部２１は、ＩＴＯ（Indium Tin Oxide）などによるマトリクス状の透明電極パターンを、ガラス、プラスチックなどの透明基板上に形成したものとなる。検出部２１にユーザの指等が接触または接近すると、その付近の複数の透明電極パターンにおける静電容量が変化する。従って、検出制御部２２は、上記透明電極パターンの電流または電圧の変化を検出することにより、ユーザの指等が接触または接近した位置を検出することができる。
【００４６】
なお、タッチパネルは、上記画面上の任意の位置にユーザの指等が接触または接近することを検出する場合もある。この場合、上記接触または接近を検出すればよく、上記位置を検出する必要は無い。
【００４７】
検出装置２０は、電子機器１００の使用者を含む人間の指またはタッチペン（ペン）による接触または接近を検出する。前記人間の指またはタッチペンで検出装置２０をなぞる動作（または触れる動作）が行われることにより、前記なぞる動作（または触れる動作）に応じた操作であって前記人間による操作が、検出装置２０において検出される。
【００４８】
なお、上述した「人間」とは、電子機器１００の使用者に限定されない。例えば、電子機器１００の使用者とともに電子機器１００の表示装置１を観察している観察者等も、上述した「人間」に含まれる。
【００４９】
タッチパネルは、表示装置１の走査によるノイズの影響を受ける。よって、前記検出装置としてタッチパネルを用いる場合、検出対象が検出されたときに該検出後における直近の走査期間を、前記検出対象が検出されなかった場合に予定されていたタイミングより早いタイミングに設ける構成を適用してもよい。このような構成とすることで、特に非走査期間において前記検出対象を高い検出精度で検出することができる。
【００５０】
なお、検出装置２０の他の形態として、外部装置から（表示装置１の外部から（または電子機器１の外部から））の電波を検出するＲＦ（Radio Frequency：無線周波数）回路などがある。ＲＦ回路も表示装置１から放射されるＥＭＩ（ElectroMagnetic Interference：電磁干渉）の影響を受けるため、非走査期間に検出動作を行うことでより良好な検出データを得ることができる。
【００５１】
検出装置２０がＲＦ回路である場合、外部装置からの電波は、検出装置２０において検出（受信）される。よって、検出装置２０は、図略のアンテナを含んでも良い。
【００５２】
検出制御部２２は、タイミングコントローラ１０からタッチ操作（以下、ＴＰ操作という）の有無を検出する検出処理を制御する信号（以下、ＴＰ検出動作制御信号という）を取り込む。検出制御部２２は、取り込んだＴＰ検出動作制御信号と同期してタッチパネルに対するＴＰ操作の有無を検出する検出処理を行う。検出制御部２２は、前記検出処理の処理結果を示すデータを検出データとして全体制御部３０に出力する。
【００５３】
（全体制御部３０の説明）
全体制御部３０は、セット側基板６０（図８（ａ），（ｂ）参照）に搭載されている。全体制御部３０は、電子機器１００を統括的に制御するものである。全体制御部３０は、各機能を実現する制御プログラムの命令を実行するＣＰＵ（Central Processing Unit）と、前記制御プログラムを格納したＲＯＭ（Read Only Memory）、前記制御プログラムを展開するＲＡＭ（Random Access Memory）、前記制御プログラム及び各種データを格納するメモリ等の記憶部とを備えている。
【００５４】
全体制御部３０は、前記記憶部に格納された所定の制御プログラムをＣＰＵが実行することにより、各機能ブロックの機能を実現する。具体的には、全体制御部３０は、検出制御部２２から出力される検出データを受信する検出データ受信部３１と、表示装置１のタイミングコントローラ１０にクロック、垂直同期信号Ｖｓｙｎｃ及び水平同期信号Ｈｓｙｎｃを出力するクロック／同期信号出力部３２と、表示装置１の信号線駆動回路６に映像信号を出力する映像信号出力部３３としての機能を有する。
【００５５】
（従来の表示装置における消費電力）
従来の表示装置における消費電力の問題について図５を参照して説明する。図５（ａ）は信号線駆動回路１０６の出力部分に関する内部構成を示す図であり、図５（ｂ）は信号線駆動回路１０６の消費電流波形（Ｉ（Ｖｄｄ））を示す図である。一般的な解像度ＷＳＶＧＡ（１０２４ＲＧＢ×６００）を有する表示装置を例に挙げると、このような表示装置の信号線駆動回路１０６は１０２４×３（ＲＧＢ）＝３０７２個のアナログアンプ１１８を必要とする。各アナログアンプ１１８は、データ信号線Ｓにデータ信号を出力する素子である。個々のアナログアンプ１１８には、出力能力を確保するために、０．０１ｍＡ程度の常時定常電流が流れている。
【００５６】
したがって、３０７２個のアナログアンプ１１８では常時定常電流の総計は約３０．７ｍＡとなる。信号線駆動回路１０６に供給される電圧源（Ｖｄｄ）は通常１０Ｖ程度であるため、１０Ｖ×３０．７ｍＡ＝３０７ｍＷの電力を信号線駆動回路が消費する。結果、平均消費電流は図５（ｂ）の矢印Ｐ２に示す値となり、この値は表示装置全体の消費電力に対して相当量を占めており、表示装置１の低消費電力化を妨げる１つの大きな原因となっている。
【００５７】
（表示装置１における消費電力）
本実施形態の表示装置１は、前記した従来の表示装置に比べてより少ない平均電力で動作する。この点について、図４を参照して説明する。
【００５８】
図４（ａ）は、信号線駆動回路６の内部構成、特に出力部分を示す図である。図４（ｂ）は、ＡＭＰ＿Ｅｎａｂｌｅ信号の波形を示す図である。
【００５９】
図４（ａ）に示すように、信号線駆動回路６は複数のアナログアンプ１４を備えている。各アナログアンプ１４は、データ信号線Ｓごとに設けられる。したがって、本実施形態に係る信号線駆動回路６はＭ個のアナログアンプ１４を備えている。すなわち、アナログアンプ１４の数とデータ信号線Ｓの数とは互いに等しい。
【００６０】
信号線駆動回路６は、各アナログアンプ１４にＡＭＰ＿Ｅｎａｂｌｅ信号を入力するためのＡＭＰ＿Ｅｎａｂｌｅ信号線をさらに備えている。この信号線は、タイミングコントローラ１０の制御信号出力部１２に接続されている。また、信号線駆動回路６の内部においては、各アナログアンプ１４に並列に接続されている。
【００６１】
上述したように、Ｖｄｄは表示装置１内の電源生成回路１３から供給される電圧源であり、信号線駆動回路６を含め、各アナログアンプ１４もＶｄｄの供給を受けて動作する。
【００６２】
タイミングコントローラ１０の制御信号出力部１２は、各アナログアンプ１４の動作状態を規定する制御信号であるＡＭＰ＿Ｅｎａｂｌｅ信号を、予め定められたタイミングで信号線駆動回路６の各アナログアンプ１４に出力する。アナログアンプ１４は、ＡＭＰ＿Ｅｎａｂｌｅ信号がＨ値のときには動作し、Ｌ値のときには休止する。
【００６３】
表示装置１では、表示パネル部２を駆動する際、垂直同期制御信号に規定される１垂直期間が走査期間と非走査期間とに分割される。制御信号出力部１２は、図４（ｂ）に示すように、走査期間においてはＡＭＰ＿Ｅｎａｂｌｅ信号をＨ値にしてアナログアンプ１４を動作させる。また、制御信号出力部１２は、非走査期間においては、ＡＭＰ＿Ｅｎａｂｌｅ信号をＬ値にしてアナログアンプ１４を休止させる。
【００６４】
＜信号波形＞
表示パネル部２を駆動する際の各種信号の波形について、図３を参照して説明する。図３は、表示装置１の表示パネル部２を駆動する際の各種信号波形を示す図である。
【００６５】
図３の上段には、タイミングコントローラ１０へ入力される入力信号について示している。例えば、タイミングコントローラ１０には、入力映像同期信号として、垂直同期信号（Ｖｓｙｎｃ）および水平同期信号（Ｈｓｙｎｃ）が入力される。また、タイミングコントローラ１０への入力映像同期信号の入力と共に、タイミングコントローラ１０には、映像信号が入力される。映像信号の１フレーム分の画像データ転送期間は、Ｈｓｙｎｃに規定される１垂直期間に相当する。
【００６６】
また、図３の下段には、タイミングコントローラ１０が出力する出力信号について示している。
【００６７】
例えば、タイミングコントローラ１０は、入力された入力映像同期信号に基づき、各回路が同期して動作するための基準となる映像同期信号として、水平同期制御信号および垂直同期制御信号を生成する。ここで、タイミングコントローラ１０は、入力されたＶｓｙｎｃと同じ周期の垂直同期制御信号を生成し、入力されたＨｓｙｎｃの周期よりも短い周期の水平同期制御信号を生成する。図３では、生成される水平同期制御信号の周期は、Ｈｓｙｎｃの周期の１／３に相当する。タイミングコントローラ１０は、生成した水平同期制御信号および垂直同期制御信号を、画像同期信号として、走査線駆動回路４、信号線駆動回路６に出力する。
【００６８】
ここで、水平同期制御信号の周期は短いため、１垂直期間内において、当該１垂直期間よりも短い期間（走査期間）に１フレーム分の走査が行われる。なお、水平同期制御信号の周期は例示したものに限られない。例えば、水平同期制御信号の周期は、Ｈｓｙｎｃの整数分の１（周波数が整数倍）であることが好ましい。
【００６９】
タイミングコントローラ１０は、記録している入力映像信号に基づき、入力された垂直同期制御信号および水平同期制御信号に従って映像信号を出力する。映像信号の１フレーム分の画像データ転送期間は、走査期間に相当する。
【００７０】
制御信号出力部１２は、生成された垂直同期制御信号および水平同期制御信号に同期して、ＡＭＰ＿Ｅｎａｂｌｅ信号を出力する。
【００７１】
また、信号線駆動回路６は、ＡＭＰ＿Ｅｎａｂｌｅ信号がＨ値を維持する間、データ信号線Ｓへデータ信号の供給を行う。
【００７２】
＜表示パネル部２の駆動＞
以下、上述の各種信号によって制御される表示パネル部２の駆動について、さらに図３を参照して説明する。
【００７３】
表示装置１では、垂直同期制御信号が１垂直期間ごとに入力される。まず、制御信号出力部１２が、垂直同期制御信号に同期して、ＡＭＰ＿Ｅｎａｂｌｅ信号の電圧をＬ値からＨ値に変化させる。これにより、信号線駆動回路６が備えるアナログアンプ１４が、非動作状態から動作状態（通常状態）へと切り替わる。
【００７４】
次に、走査線駆動回路４は、垂直同期制御信号および水平同期制御信号に同期して、１本目の走査信号線Ｇにゲートクロック信号（選択信号）を出力する。これによって、走査信号線Ｇ（１）に接続された画素のＴＦＴのゲートがオン状態になる。
【００７５】
次に、信号線駆動回路６は、水平同期制御信号に同期して、データ信号線Ｓごとに、当該データ信号線Ｓに接続されたアナログアンプ１４からデータ信号を出力する。これにより、表示に必要な電圧が各データ信号線Ｓに供給され、ＴＦＴを通じて走査信号線Ｇ（１）上の画素電極に書き込まれる。当該書き込みの終了後、走査信号線Ｇ（１）に接続された画素のＴＦＴのゲートがオン状態からオフ状態に戻る。
【００７６】
最初の１水平期間が経過したら、次の垂直同期制御信号が入力される。２本目以降の走査信号線Ｇに接続された画素は、１本目の走査信号線Ｇに接続された画素と同様の手順によって書き込みが行われる。このようにして、Ｎ本全ての走査信号線Ｇの画素に書き込みが行われる期間を書き込み期間と称する。当該書き込み期間は走査期間と同じ期間を示す。
【００７７】
ＡＭＰ＿Ｅｎａｂｌｅ信号は、前記書き込み期間の間、Ｈ値を維持している。
【００７８】
最初の１垂直期間において、前記書き込み期間（走査期間）が経過した後、制御信号出力部１２は、ＡＭＰ＿Ｅｎａｂｌｅ信号をＨ値からＬ値に変化させる。この結果、アナログアンプ１４が非動作状態になる。
【００７９】
最初の１垂直期間が経過したら、次の垂直同期制御信号が入力され、２フレーム目以降の駆動についても、上述と同様の手順によって行われる。
【００８０】
なお、アナログアンプ１４が非動作状態の間、アナログアンプ１４の出力とデータ信号線Ｓ（ｉ）との接続が切られる。詳しくは後述するが、データ信号線Ｓ（ｉ）は電気的に浮いた状態にしてもよく、Ｖｄｄ等に接続させた状態にしてもよい。
【００８１】
（走査期間と非走査期間）
表示装置１は、通常の消費電力で動作する通常モードと、前記通常モードよりも消費電力が小さい低消費電力モードとを有する。
【００８２】
通常モードにおいては、表示装置１は、１秒間に６０フレームの画像を表示パネル部２に表示する。したがって、１フレーム期間は約１６．７ｍｓである。表示装置１の解像度は１０２４×６００画素であるため、１フレーム期間中に６００本の走査信号線Ｇを走査する。一方、低消費電力モードにおいては、１秒間に例えば１フレームの画像を表示パネル部２に表示する。
【００８３】
表示装置１は、表示パネル部２を駆動する際、１水平期間を走査期間と非走査期間とに分割する。そして、走査期間においてはＡＭＰ＿Ｅｎａｂｌｅ信号をＨ値にしてアナログアンプ１４を動作させる。さらに、ゲートクロック信号（選択信号）をＶｇｈにしてＴＦＴのゲートをオンにする。走査期間は、表示に必要な電圧が画素電極に書き込まれるのに必要な時間に等しい。本実施形態では、１走査期間は１６．７（ｍｓ）である。
【００８４】
表示装置１は、非走査期間においては、ＡＭＰ＿Ｅｎａｂｌｅ信号をＬ値にしてアナログアンプ１４を休止させる。さらに、ゲートクロック信号（選択信号）をＶｇｌにしてＴＦＴのゲートをオフにする。非走査期間は１水平期間における走査期間以外の期間であるため、低消費電力モードにおいては、９８３．３（ｍｓ）となる。
【００８５】
＜非走査期間におけるデータ信号線の接続先＞
非走査期間において、データ信号線Ｓ（ｉ）の接続先は不定であってもよく、または任意の電源であってもよい。
【００８６】
例えば、非走査期間においてデータ信号線Ｓ（ｉ）が電気的に浮いている状態であってもよい。この場合、非走査期間（ＡＭＰ＿Ｅｎａｂｌｅ信号がＬ値になっている期間）において、アナログアンプ１４とデータ信号線Ｓ（ｉ）との接続は切れており、データ信号線Ｓ（ｉ）の接続先は不定である。
【００８７】
また、非走査期間においてデータ信号線Ｓ（ｉ）が共通のＶｄｄに接続されていてもよい。この場合、非走査期間において、アナログアンプ１４とデータ信号線Ｓ（ｉ）との接続は切れており、かつ、いずれのデータ信号線Ｓ（ｉ）も、共通の電圧源（Ｖｄｄ）に接続されている。これにより、データ信号線Ｓ（ｉ）に出力された電圧は、走査期間の終了後、すなわちＡＭＰ＿Ｅｎａｂｌｅ信号がＨ値からＬ値に変化した後、ピークの値から一定値だけ減少し、その値を安定して保つ。結果、非走査期間において、データ信号線Ｓに出力された電圧が安定するので、安定した表示を維持することができる。
【００８８】
なお、非走査期間におけるデータ信号線Ｓ（ｉ）の接続先は、任意の電圧源（Ｖｄｄ）に限らず、グラウンド（ＧＮＤ）または共通のノードであってもよい。いずれの場合も、非走査期間における、データ信号線Ｓに出力された電圧を安定化できる効果が得られる。
【００８９】
（作用効果）
非走査期間の間、アナログアンプ１４の定常電流がカットされている。その結果、平均消費電流は図４（ｂ）の矢印Ｐ１に示す値となり、この値は従来の表示装置における平均消費電流（図５（ｂ）の矢印Ｐ２）に比べて著しく小さい。
【００９０】
（本実施形態の特徴部分の説明）
以上の構成に加えて、本実施形態においては、ユーザが表示画面に表示中の画像の次の画像を前記表示画面に表示させる意図で何らかの操作を行った場合でも、速やかに前記次の画像を表示画面に表示させるようにしている。
【００９１】
図１（ａ）は、従来における表示パネル部の駆動態様を示すタイミングチャート、図１（ｂ）は、本実施形態（第１の実施形態）における表示パネル部２の駆動態様を示すタイミングチャートである。
【００９２】
図１（ａ）に示すように、従来の表示装置においては、前記複数の画素に画像データを供給する（表示に必要な電圧を画素電極に書き込む）走査期間と、前記複数の画素に前記画像データを供給しない（表示に必要な電圧を画素電極に書き込まない）非走査期間とが一定の周期で交互に繰り返される。その結果、走査期間がくるたびに、前記画素が保持する画像データの書き換え（更新）が行われる。
【００９３】
この場合、図１（ａ）に示すように、ＴＰ操作が発生した場合、特に前記非走査期間中にＴＰ操作が発生した場合、そのＴＰ操作のタイミング（ＴＰ操作タイミング）と、ＴＰ操作後における直近の走査期間（矢印Ｘに示す走査期間）に切り替わるタイミングとの間に時間差（タイムラグ）ΔＴが発生する。このタイムラグΔＴの間、表示パネル部２に表示されている画像の画像データが各画素に保持されるため、表示パネル部２に表示されている画像が表示されたままとなる。
【００９４】
この場合、ユーザの操作に対する電子機器１００のレスポンスがユーザの意図したものと大きくずれることになる。そのため、利便性や操作性の点で電子機器１００に対する不満をユーザに感じさせる可能性がある。特に、低消費電力モードにおいては、前記非走査期間が長く、タイムラグΔＴが長くなる傾向にあるため、前記の問題が顕著となる。
【００９５】
本実施形態では、この点に鑑み、非走査期間にＴＰ操作が発生した場合、走査線駆動回路４及び信号線駆動回路６は、図１（ｂ）の矢印Ｘで示すように、前記ＴＰ操作検出後における直近の走査期間（矢印Ｘに示す次の走査期間）のタイミングを、従来のタイミング、すなわち前記ＴＰ操作が検出されなかった場合に予定されているタイミングよりも早める（前倒しする）ようにしている。以下、この処理を、前記直近の走査期間の前倒しという。図１（ｂ）は、ＴＰ操作直後に前記直近の走査期間を設けた形態を示しており、この形態が最も好ましい。
【００９６】
なお、本実施形態では、前記直近の走査期間を前倒しした後の走査期間の周期については、従来と同様、ＴＰ操作の検出前の周期Ｔと同一としている。
【００９７】
このように、前記直近の走査期間の前倒しによって、タイムラグΔＴを無くす若しくは短縮することができる。これにより、ユーザが現在表示中の画像の次の画像を前記表示画面に表示させる等の意図で行ったＴＰ操作が非走査期間中の操作であっても、そのＴＰ操作に速やかに対応する、すなわち速やかに前記次の画像を表示パネル部２に表示させることができる。
【００９８】
その結果、ＴＰ操作に対する電子機器１００のレスポンスがユーザの意図したものより遅れて、ＴＰ操作をしても表示パネル部２に表示される画像が切り替わるタイミングが遅いという、使い勝手（利便性及び操作性）の点での電子機器１００に対する不満をユーザに感じさせるのを防止または抑制することができる。
【００９９】
なお、ＴＰ操作の有無を検出する検出処理を制御するＴＰ検出動作制御信号の出力動作に関し、第１の実施形態では、タイミングコントローラ１０がＴＰ検出動作制御信号を検出装置２０の検出制御部２２に直接出力する構成としたが、これに限られない。図６は、本発明に係る電子機器の他の全体構成例を示す図である。
【０１００】
図６に示すように、全体制御部３０は、検出データ受信部３１、クロック／同期信号出力部３２及び映像信号出力部３３に加えて、ＴＰ検出動作制御信号中継部３４を備える。ＴＰ検出動作制御信号中継部３４は、タイミングコントローラ１０と検出装置２０の検出制御部２２との間でＴＰ検出動作制御信号を中継する機能を有する。
【０１０１】
なお、図６においては、タイミングコントローラ１０から全体制御部３０に出力されているＴＰ検出動作制御信号と、全体制御部３０から検出制御部２２に出力されているＴＰ検出動作制御信号とを区別するため、前者の信号を「ＴＰ検出動作制御信号１」、後者の信号を「ＴＰ検出動作制御信号２」と表している。
【０１０２】
このように、タイミングコントローラ１０から検出制御部２２に間接的にＴＰ検出動作制御信号を出力する構成によっても、ＴＰ検出動作制御信号を検出装置２０の検出制御部２２に直接出力する実施形態と同様の効果を得ることができる。
【０１０３】
［第２の実施形態］
前記第１の実施形態では、前記直近の走査期間の前倒し後における走査期間の周期については、ＴＰ操作前における走査期間の周期Ｔと同一（不変）とした。しかし、ＴＰ操作後に例えば動画を表示するアプリケーションが指定された場合などを考慮すると、前記走査期間の周期をＴＰ操作発生前の周期Ｔから変える（短くする）のが好ましい。以下、この点について説明する。
【０１０４】
図７は、第２の実施形態における表示パネル部２の駆動態様を示すタイミングチャートである。
【０１０５】
図７に示すように、本実施形態に係る電子機器１００においては、ＴＰ操作が発生すると、それ以降の非走査期間の長さを短くすることにより、前記走査期間の周期を、前記ＴＰ操作後（直近の走査期間の前倒し後）における走査期間の周期より短くしている。
【０１０６】
これにより、ＴＰ操作があると、表示パネル部２の各画素に書き込む（保持させる）画像データを切り替える周期を、ＴＰ操作前よりも短くすることができる。
【０１０７】
その結果、ＴＰ操作後に、例えば動画を表示するアプリケーションを指定するＴＰ操作がなされた場合に、短い周期で画像の更新を行うことができるため、前記動画を滑らかに表示することができる。
【０１０８】
［第３の実施形態］
第２の実施形態において走査期間の周期を変更する場合に、その変更する周期の導出は表示装置１で行ってもよいし全体制御部３０で行ってもよい。
【０１０９】
変更する周期の導出を表示装置１で行う構成を図８（ａ）に示す。
【０１１０】
図８（ａ）に示すように、表示装置１と全体制御部３０とがケーブル５０により電気的に接続されており、表示装置１と全体制御部３０とはケーブル５０を介して通信可能に構成されている。
【０１１１】
全体制御部３０は、検出装置２０からＴＰ操作が検出されたか否かの情報を受信する。全体制御部３０は、検出装置２０によりＴＰ操作が検出されたか否かの情報を受信すると、該情報を表示装置１に送信する。表示装置１の制御信号出力部１２は、全体制御部３０から取得した前記情報に応じて前記走査期間の周期を導出する周期導出部１２ａとしての機能を備えている。
【０１１２】
周期導出部１２ａは、ＴＰ操作前かＴＰ操作後かに応じて予め設定された走査期間の周期を予め記憶している。すなわち、周期導出部１２ａには、ＴＰ操作が発生する前の周期（以下、ＴＰ操作前周期という）Ｔａと、ＴＰ操作が発生した後の周期（以下、ＴＰ操作後周期という）Ｔｂとを予め記憶されている。ＴＰ操作後周期Ｔｂは、ＴＰ操作前周期Ｔａに比して短く設定されている。
【０１１３】
そして、周期導出部１２ａは、現時点がＴＰ操作前である場合には、走査期間の周期を、ＴＰ操作前に対応する走査期間の周期Ｔａとし、現時点がＴＰ操作後である場合には、走査期間の周期を、ＴＰ操作後に対応する走査期間の周期Ｔｂとする。
【０１１４】
具体的には、周期導出部１２ａは、低消費電力モードになると、走査期間の周期を、ＴＰ操作前に対応する走査期間の周期Ｔａとし、ＴＰ操作されると、走査期間の周期を、ＴＰ操作後に対応する走査期間の周期Ｔｂとする。そして、周期導出部１２ａは、最後に行われたＴＰ操作から予め定められた時間が経過すると、走査期間の周期を周期Ｔａに戻す。
【０１１５】
そして、表示装置１は、周期導出部１２ａにより導出された前記走査期間の周期に基づき、前記直近の走査期間のタイミングを早めた後の画像データの書き換えを行う。
【０１１６】
変更する周期の導出を全体制御部３０で行う構成を図８（ｂ）に示す。
【０１１７】
図８（ｂ）に示すように、表示装置１と全体制御部３０とがケーブル５０により電気的に接続されており、表示装置１と全体制御部３０とはケーブル５０を介して通信可能に構成されている。
【０１１８】
また、本実施形態に係る電子機器１００においては、図６に示す電子機器１００のように全体制御部３０が前記ＴＰ検出動作制御信号を中継する機能に加え、前記ＴＰ検出動作制御信号に基づいて走査期間の周期の導出を行う機能が付加されている。そして、この機能を実現すべく、本実施形態における全体制御部３０は、各部３１〜３４に加えて、周期導出部３５を備えている。周期導出部３５は、周期の導出を行うトリガが、検出装置２０からＴＰ操作が検出されたか否かの情報を受信したときである点と、導出した周期を表示装置１に通知する点で、図８（ａ）に示す構成と異なる以外は、周期導出部１２ａと同様の機能を有する。それゆえ、その説明を省略する。
【０１１９】
［第４の実施形態］
第１の実施形態では、前記直近の走査期間の前倒し後においても走査期間と非走査期間とを交互に繰り返すようにしているが、本実施形態では、非走査期間を設けずに走査期間を連続させるようにしている。
【０１２０】
図９（ａ）は、従来の表示パネル部の駆動態様を示すタイミングチャート、図９（ｂ）は、第４の実施形態における表示パネル部２の駆動態様を示すタイミングチャートである。
【０１２１】
図９（ｂ）の矢印Ａに示すように、本実施形態に係る電子機器１００においては、ＴＰ操作後、前記直近の走査期間を第１の実施形態のように前倒しする。その後は、前記非走査期間を設けないで前記走査期間を連続させている。この走査期間を連続させる形態は、第２の実施形態において非走査期間の長さを０（零）とすることと同義である。
【０１２２】
なお、本実施形態における表示パネル部２の駆動態様と前記第１の実施形態における表示パネル部２の駆動態様との相違点を明確にするために、図９（ｂ）の下段に示すタイミングチャートにおいて、本実施形態における表示パネル部２の駆動態様を実線で示し、また、前記第１の実施形態における表示パネル部２の駆動態様を点線で示している。
【０１２３】
このように、第１の実施形態のように前記直近の走査期間を前倒しした後は、非走査期間を設けないで走査期間を連続させることが好ましい。このようにすることで、非走査期間におけるＴＰ操作後に、例えば動画を表示するアプリケーションを指定するＴＰ操作がなされた場合に、その動画を滑らかに表示することができる。
【０１２４】
［第５の実施形態］
ＴＰ操作に対応する画像データの更新タイミングをできる限りＴＰ操作タイミングに近づける方法としては、前記第１〜第３の実施形態のように前記直近の走査期間を前倒しする他、ＴＰ操作の検出処理を周期的（間欠的）に行っている構成では、ＴＰ操作をできるだけ早いタイミングで検出することが考えられる。
【０１２５】
図１０（ａ）は、表示パネル部２の駆動態様を示すタイミングチャート、図１０（ｂ）は、第５の実施形態におけるＴＰ検出動作制御信号を示すタイミングチャート、図１０（ｃ）は、ＴＰ操作の検出動作を示すタイミングチャート、図１０（ｄ）は、従来のＴＰ操作の検出動作を示すタイミングチャートである。
【０１２６】
図１０（ｂ）に示すように、タイミングコントローラ１０は、ＴＰ操作が検出されるまでは、検出制御部２２にＴＰ検出動作制御信号を周期Ｔｃで出力しているものとする。このとき、検出制御部２２は、図１０（ｃ）に示すように、前記ＴＰ検出動作制御信号（の立ち上がり）に同期してＴＰ操作の有無を検出する検出処理を周期Ｔｃで行う。
【０１２７】
ＴＰ操作が検出されると、タイミングコントローラ１０は、図１０（ｂ）に示すように、ＴＰ検出動作制御信号を周期Ｔｃより短い周期Ｔｄ（＜Ｔｃ）で検出制御部２２に出力する。これにより、検出制御部２２は、図１０（ｃ）に示すように、前記ＴＰ検出動作制御信号（の立ち上がり）に同期してＴＰ操作の有無を検出する検出処理を周期Ｔｄで行う。
【０１２８】
このように、ＴＰ操作後に、ＴＰ操作の有無を検出する検出処理の実行周期を短くする（単位時間当たりの検出処理回数を増やす）ことで、前記直近の走査期間の前倒し後に行われ得るＴＰ操作をできる限り早く検出することができる。
【０１２９】
すなわち、ＴＰ操作後においてＴＰ操作が行われたとき、図１０（ｄ）に示すように、ＴＰ操作が非走査期間中に検出されても前記検出処理の実行周期を変えない場合には、次のＴＰ操作に係る検出処理が行われるまでにタイムラグΔＴｎが生じる。
【０１３０】
一方、図１０（ｂ）に示すように、本実施形態のように、前記検出処理の実行周期を短くすることで、前記のようにＴＰ操作後に再度ＴＰ操作Ｗが行われた場合でも、次のＴＰ操作に係る検出処理が行われるまでのタイムラグが、前記タイムラグΔＴｎより短いタイムラグΔＴｍとなる。その結果、前記ＴＰ操作後のＴＰ操作をより早く検出することができる。
【０１３１】
その結果、前記直近の走査期間の前倒し後におけるＴＰ操作に基づく画像データの切り替えをより速やかに行うことができる。
【０１３２】
［第６の実施形態］
図１１は、表示装置１の変形例を示す説明図である。
【０１３３】
図２等に示した表示装置１の他の構成例を示す説明図である。図２等に示した表示装置１では、タイミングコントローラ１０は、ＡＭＰ＿Ｅｎａｂｌｅ信号とタイミングが等しいＴＰ検出動作制御信号を検出装置２０の検出制御部２２へ出力する。
【０１３４】
ここで、図２等の表示装置１では、タイミングコントローラ１０は、映像信号（クロック信号、同期信号、映像データ信号など）を受信してから信号線駆動回路６に同期制御信号を出力するまで数クロック分〜数ラインの走査分の遅れを生じさせている。これはタイミングコントローラ１０の内部でのタイミングの生成や画像処理などに時間が必要であるからである。
【０１３５】
一方、表示装置１では、図１１に示されるように、走査線駆動回路４が、走査信号線Ｇの本数に応じた数のゲートドライバ部４ａ（図１１では２つを例示している）を備えてもよい。
【０１３６】
また、表示装置１では、図１１に示されるように、信号線駆動回路６が、データ信号線Ｓの本数に応じた数のソースドライバ部６ａ（信号線駆動部、検出指示手段、図１１では３つを例示している）を備えてもよい。
【０１３７】
これらのソースドライバ部６ａは、上述した遅延が存在しない分だけ、タイミングコントローラ１０よりも厳密に、走査期間（及び駆動期間）、及び、非走査期間（及び休止期間）を認識している。
【０１３８】
そこで、図１１に示すように、ソースドライバ部６ａの内の１つから、接続端子８０を介して、検出装置２０の検出制御部２２へ、ＴＰ検出動作制御信号を出力しても良い。これにより、タイミングコントローラ１０から検出制御部２２へ検出指示信号を出力する際の遅延の影響を除去できるので、表示装置１の非走査期間をより正確に検出装置２０に伝達することが可能となる。それゆえ、検出装置２０の検出部２１における検出動作を、より正確に制御することが可能となる。
【０１３９】
ここで、上記の各実施の形態において、タッチパネル検出期間については、タッチパネル検出期間の開始時刻および終了時刻は、検出指示信号がアクティブである期間であればよい。
【０１４０】
［第７の実施形態］
以上に説明した実施の形態の表示装置１において、同じ画像を同じ位置に長時間表示することにより、当該画像が画面に焼き付くことを防止するため、表示パネル部２における画素電極は、所定回数（例えば１回）の１フレーム期間ごとに電圧の極性を反転することが望ましい。表示パネル部２の全画素電極に対して、或るフレームにて同じ極性の電圧を印加し、当該或るフレームの次のフレームにて逆極性の電圧を印加し、これを繰り返す反転方式は、「フレーム反転」と称される。フレーム反転は、或るフレームにて全データ信号線Ｓに印加する電圧の極性を、１フレーム期間ごとに反転することにより実現できる。
【０１４１】
さらに、フリッカ防止のため、走査信号線Ｇの方向およびデータ信号線Ｓの方向の少なくとも一方に配列した画素電極ごとに電圧の極性を反転することが望ましい。この反転には、「ソース反転」、「ライン反転」、および「ドット反転」などがある。以下、図１２〜図１５を参照してこれらの反転を詳細に説明する。
【０１４２】
図１２〜図１５は、表示パネル部２における走査信号線Ｇ、データ信号線Ｓ、および画素電極の構造を示す構造図である。また、図１２〜図１５のそれぞれにおいて、（ａ）は、或るフレーム（第ｎフレーム）における各画素電極の電圧の極性を示しており、（ｂ）は、次のフレーム（第（ｎ＋１）フレーム）にて逆極性の電圧が印加された各画素電極の電圧の極性を示している。各画素電極の電圧の極性は、図中の＋（プラス）および−（マイナス）によって示されている。
【０１４３】
図１２は、ソース反転の一例を示している。ソース反転は、データ信号線（ソース線）Ｓごとに印加する電圧の極性を反転したものである。これにより、図１２に示すように、走査信号線Ｇの方向に配列した画素電極ごとに電圧の極性を反転することができる。
【０１４４】
図１３は、図１２と同じソース反転であるが、図１２に比べて画素電極の配置が異なっている。図１２では、データ信号線Ｓに接続する画素電極が、当該データ信号線Ｓに対して一方の側（図示の例では右側）に配置されている。これに対し、図１３では、データ信号線Ｓに接続する画素電極が、当該データ信号線Ｓに対して千鳥状に配置されている。このため、隣り合うデータ信号線Ｓの間に配置された画素電極の電圧の極性は、図１２の配置では同じであるが、図１３の配置では互い違いとなっている。
【０１４５】
図１４は、ライン反転の一例を示している。ライン反転は、データ信号線Ｓに印加する電圧の極性を、駆動される走査信号線Ｇごと（水平走査期間ごと）に反転したものである。これにより、図１４に示すように、データ信号線Ｓの方向に配列した画素電極ごとに電圧の極性を反転することができる。
【０１４６】
図１５は、ドット反転の一例を示している。ドット反転は、図１２に示すソース反転と、図１４に示すライン反転とを組み合わせることにより実現できる。具体的には、１番目の走査信号線Ｇ１の駆動時に、各データ信号線Ｓに印加する電圧の極性を、１番目をプラス（＋）とし、以下、順番に反転する。次に、２番目の走査信号線Ｇ２の駆動時に、各データ信号線Ｓに印加する電圧の極性を、１番目をマイナス（−）とし、以下、順番に反転する。そして、３番目以降の走査信号線Ｇの駆動時にも同様に繰り返すことにより、図１５に示すように、走査信号線Ｇの方向およびデータ信号線Ｓの方向に隣り合う画素電極どうしの電圧の極性を異なるようにすることができる。
【０１４７】
このドット反転系の駆動においては、特に前記走査期間における消費電流が多い。そこで、特にドット反転系の駆動を行う場合に、検出対象が検出されたときに該検出後における直近の走査期間を、前記検出対象が検出されなかった場合に予定されていたタイミングより早いタイミングに設ける構成を適用することが好ましい。このような構成とすることで、消費電力の低減を図りつつ、ユーザの操作タイミングと、その操作に対応する画像データの書き換えタイミング（画像の更新タイミング）との間のタイムラグを短縮することができるという効果が顕著となる。
【０１４８】
（ＴＦＴ）
前記各実施形態の表示パネル部（表示素子）２においては、ＴＦＴとして、その半導体層にいわゆる酸化物半導体を用いたＴＦＴを採用することが好ましい。この酸化物半導体には、例えばＩＧＺＯ（ＩｎＧａＺｎＯｘ）が含まれる。この構成では、各画素に対する画素データの書き込みを高速に行うことができる。
【０１４９】
その理由について、図１６を参照して説明する。図１６は、各種ＴＦＴの特性を示す図である。この図では、酸化物半導体を用いたＴＦＴ、ａ−Ｓｉ（amorphous silicon）を用いたＴＦＴ、およびＬＴＰＳ（Low Temperature Poly Silicon）を用いたＴＦＴの各々の特性を示す。本図において、横軸（Ｖｇｈ）は、各ＴＦＴにおいてゲートに供給されるオン電圧の電圧値を示し、縦軸（Ｉｄ）は、各ＴＦＴにおけるソース−ドレイン間の電流量を示す。特に、図中において「ＴＦＴ−ｏｎ」と示されている期間は、オン電圧の電圧値に応じてオン状態となっている期間を示し、図中において「ＴＦＴ−ｏｆｆ」と示されている期間は、オン電圧の電圧値に応じてオフ状態となっている期間を示す。
【０１５０】
図１６に示すように、酸化物半導体を用いたＴＦＴは、ａ−Ｓｉを用いたＴＦＴよりも、オン状態の時の電流量（すなわち、電子移動度）が高い。図示は省略するが、具体的には、ａ−Ｓｉを用いたＴＦＴは、そのＴＦＴ−ｏｎ時のＩｄ電流が１ｕＡであるのに対し、酸化物半導体を用いたＴＦＴは、そのＴＦＴ−ｏｎ時のＩｄ電流が２０〜５０ｕＡ程度である。このことから、酸化物半導体を用いたＴＦＴは、ａ−Ｓｉを用いたＴＦＴよりも、オン状態の時の電子移動度が２０〜５０倍程度高く、オン特性が非常に優れていることが分かる。
【０１５１】
以上のことから、前記各実施形態の表示パネル部２において、酸化物半導体を用いたＴＦＴを各画素に採用することによって、各画素のＴＦＴのオン特性が非常に優れたものとなる。そのため、各画素に対して画素データを書き込む際の電子移動量を増大し、該書き込みにかかる時間をより短時間化することができる。
【０１５２】
それゆえ、前記各実施形態の表示装置１は、表示パネル部２において、例えばユーザの所定の操作の検出に対応する画像データの書き換えを高速に行うことができる。したがって、上記表示装置１によれば、上記検出タイミングと上記書き換えタイミング（画像の更新タイミング）との間のタイムラグを無くす若しくはできるだけ短縮することに加えて、上記のように画像データの書き換え自体を高速に行うことができる。それゆえ、例えばユーザの所定の操作を検出してから、画像の更新を完了するまでの時間を短縮できる。よって、表示装置のレスポンスがユーザの意図したものと大きくずれることを回避し、利便性や操作性の点で表示装置に対する不満をユーザに感じさせるのを防止又は抑制する上で優れた効果を奏する。
【０１５３】
（付記事項）
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０１５４】
（１）前記各実施形態においては、タッチパネルに対するユーザの接触または接近をトリガとして、前記直近の走査期間の前倒しを行うようにした。しかし、前記トリガは、タッチパネルに対するユーザの接触または接近に限定されるものではなく、例えば、電子機器１００に備えられるボタンやスイッチを操作したり、電子機器１００を振ったりする操作も電子機器に対するユーザの操作として含まれる。
【０１５５】
（２）前記各実施形態においては、非走査期間中にＴＰ操作があった場合の処理について言及した。しかし、走査期間中にＴＰ操作があった場合には、該走査期間の直近の走査期間を、前記ＴＰ操作の操作タイミングを含む前記走査期間の直後に設けてもよいし、前記操作タイミングの直後に設けてもよい。
【０１５６】
（３）非走査期間においては、信号線駆動回路６内の全てのアナログアンプ１４のうち、少なくとも１つを休止させれば、消費電力を削減できる効果が得られる。全てのアナログアンプ１４を休止させれば、消費電力を最も多く削減できるので望ましい。
【０１５７】
（４）非走査期間においては動作休止の対象とするのは、アナログアンプ１４に限られない。すなわち、アナログアンプ１４を含む、定常電流が流れる何らかの回路群（素子群）の能力を低下させてもよい。このような回路群の例として、たとえば階調毎の電圧を決定するＤＡＣ（Digital-Analogue-Converter）回路部、及びＶｄｄ生成回路部がある。
【０１５８】
（５）表示装置１では、上述のように非走査期間にアナログアンプ１４の能力（駆動能力）を低下させることによって低消費電力化を図ることができる。しかし、アナログアンプ１４は完全に休止（Ｏｆｆ）させることによって、低消費電力化の効果を最も高くすることが可能である。従って表示装置１では、非走査期間において「アナログアンプ１４の駆動能力を低下させる」代わりに「アナログアンプ１４を休止させる」ことによっても、本発明の効果を奏することができる。なお、アナログアンプ１４の能力を最も低下させた状態が、アナログアンプ１４を休止させた状態に相当する。
【０１５９】
（付記事項２）
本発明に係る表示装置は、複数の画素に画像データを供給する走査期間と前記画像データを供給しない非走査期間とを交互に繰り返して、前記画素が保持する画像データの書き換えを繰り返し行う表示装置であって、当該表示装置を備えた電子機器に対するユーザの所定の操作及び前記電子機器への外部からの電波の少なくとも何れか一方の検出対象を検出する検出装置により前記検出対象が検出されると、該検出後における直近の走査期間を、前記検出対象が検出されなかった場合に予定されていたタイミングより早いタイミングに設けるものである。
【０１６０】
そして、さらに、前記表示装置は、前記検出装置により前記検出対象が検出されると、前記直近の走査期間を前記検出対象が検出された直後のタイミングに設ける形態を採り得る。
【０１６１】
前記構成によれば、前記検出対象が検出されると、前記直近の走査期間を前記検出対象が検出された直後のタイミングに設けるようにしたので、前記検出対象の検出タイミングと、その検出に対応する画像データの書き換えタイミング（画像の更新タイミング）との間のタイムラグを無くすことができる。
【０１６２】
これにより、例えば前記所定の操作に対する表示装置のレスポンスがユーザの意図したものと大きくずれることを回避でき、利便性や操作性の点で表示装置に対する不満をユーザに感じさせるのを防止又は抑制することができる。
【０１６３】
また、前記表示装置は、前記直近の走査期間のタイミングを早めた後における前記非走査期間の長さを、前記直近の走査期間のタイミングを早める前の前記非走査期間の長さより短くすることにより、前記走査期間の周期を前記直近の走査期間のタイミングを早める前の前記走査期間の周期より短くする形態を採り得る。
【０１６４】
前記構成によれば、前記直近の走査期間のタイミングを早めた後において、例えば動画の表示指示がなされた場合に、前記画素が保持する画像データの書き換えが短い周期で行われるから、前記動画を滑らかに表示することができる。
【０１６５】
また、前記表示装置は、前記直近の走査期間のタイミングを早めた後は前記非走査期間を設けることなく前記走査期間を連続させる形態を採り得る。
【０１６６】
前記構成によれば、前記直近の走査期間のタイミングを早めた後は前記非走査期間を設けることなく前記走査期間を連続させるようにしたので、前記直近の走査期間のタイミングを早めた後において、例えば動画の表示指示がなされた場合に、前記画素が保持する画像データの書き換えが連続して行われるから、前記動画を滑らかに表示することができる。
【０１６７】
また、前記表示装置は、１フレーム内で所定の周期で前記複数の画素を備える表示素子へ印加する電圧の極性を反転させる形態を採り得る。
【０１６８】
特にドット反転系の駆動を行う場合、前記走査期間における消費電流が多い。そこで、検出対象が検出されると該検出後における直近の走査期間を前記のように早める構成を、特にドット反転系の駆動を行う場合に適用することで、消費電力の低減を図りつつ前記タイムラグを短縮できるという効果が顕著となる。
【０１６９】
また、前記表示装置は、前記検出装置が、当該表示装置の表示画面に備えられたタッチパネルを有し、前記所定の操作は、前記タッチパネルに対する接触または接近であり、前記検出装置は、前記タッチパネルに対する接触または接近を検出する形態を採り得る。
【０１７０】
タッチパネルは、前記表示装置の走査によるノイズの影響を受ける。そこで、前記検出装置として特にタッチパネルを用いる場合に、検出対象が検出されると該検出後における直近の走査期間を前記のように早める構成を適用することで、特に非走査期間において前記検出対象を高い検出精度で検出することができる。
【０１７１】
また、前記表示装置は、前記検出装置が外部からの前記電波を検出する無線周波数回路である形態を採り得る。
【０１７２】
前記構成によれば、無線周波数回路は、前記表示装置から放射されるＥＭＩの影響を受けるため、非走査期間に検出動作を行うことでより良好な検出データを得ることができる。
【０１７３】
また、前記表示装置は、前記複数の画素が一方向に伸びる複数の走査信号線と、他方向に伸びる複数のデータ信号線との交差部に対応して設けられ、前記走査信号線を選択状態とする信号である選択信号を、各走査信号線に順次印加する走査線駆動回路と、各データ信号線に画像データを書き込む信号線駆動回路と、外部から入力された垂直同期信号に基づいて、前記選択信号を前記走査線駆動回路に出力するとともに、外部から入力された水平同期信号に基づいて、前記画像データの書き込みを指示する信号である書込指示信号を、前記信号線駆動回路に出力するタイミングコントローラとを備え、前記信号線駆動回路は、前記データ信号線の本数に応じた数の信号線駆動部を有し、いずれか１つの前記信号線駆動部は、前記検出装置に対して、前記検出対象の検出を指示する検出指示信号の出力を、前記非走査期間において行う形態を採り得る。
【０１７４】
前記構成によれば、前記検出装置は、前記非走査期間において前記検出を行うことが可能となる。
【０１７５】
従って、表示装置のリフレッシュ周波数よりも高い周波数での検出装置における検出動作と、検出精度の大幅な向上とを実現することができる表示装置を提供することができる。
【０１７６】
また、前記表示装置は、前記検出装置が前記検出対象を検出すると、前記検出装置による検出動作の周期を、前記検出対象を検出する前に比して短くさせる形態を採り得る。
【０１７７】
前記検出に対応する画像データの更新タイミングを、できる限り検出タイミングに近づける方法としては、前記直近の走査期間を前倒しする方法の他、前記検出対象の検出処理を周期的（間欠的）に行っている構成では、前記検出対象をできるだけ早いタイミングで検出するということが考えられる。
【０１７８】
そこで、前記検出対象を検出すると、前記検出動作の周期を、前記検出対象を検出する前に比して短くすることにより、前記検出対象の検出後に行われ得る前記検出対象をできるだけ早いタイミングで検出することができる。
【０１７９】
その結果、前記直近の走査期間を前倒しした後において、表示装置に対して例えば前記所定の操作が行われた場合に、その操作に対する表示装置のレスポンスがユーザの意図したものと大きくずれることを回避でき、利便性や操作性の点で表示装置に対する不満をユーザに感じさせるのを防止又は抑制することができる。
【０１８０】
また、前記表示装置は、液晶表示装置とされ得る。
【０１８１】
これにより、前記各発明の効果を奏する液晶表示装置を得ることができる。
【０１８２】
また、前記表示装置は、有機エレクトロルミネッセンス表示装置とされ得る。
【０１８３】
これにより、前記各発明の効果を奏する有機エレクトロルミネッセンス表示装置を得ることができる。
【０１８４】
本発明に係る電子機器は、前記何れか一項に記載の表示装置と、前記検出装置とを備えることを特徴とするものである。
【０１８５】
また、前記電子機器は、当該電子機器の全体の制御を行う制御部を更に備え、前記制御部と前記表示装置とが通信可能に接続されており、前記制御部は、前記検出装置により前記検出対象が検出されたか否かの情報を前記表示装置に送信し、前記表示装置は、前記制御部から取得した前記情報に応じた前記走査期間の周期で、前記直近の走査期間のタイミングを早めた後の画像データの書き換えを行う形態を採り得る。
【産業上の利用可能性】
【０１８６】
本発明は、液晶表示装置、有機ＥＬ表示装置、及び電子ペーパーなどの各種の表示装置と、タッチパネル等の入力装置とを備えた電子機器に広く採用できる。
【符号の説明】
【０１８７】
１        表示装置
２        表示パネル部（表示素子）
４        走査線駆動回路
６        信号線駆動回路
６ａ      ソースドライバ部（信号線駆動部）
１０      タイミングコントローラ
２０      検出装置
３０      全体制御部（制御部）
１００    電子機器
Ｇ        走査信号線
Ｓ        データ信号線
【図１】
2012137816.tif 000003
【図２】
2012137816.tif 000004
【図３】
2012137816.tif 000005
【図４】
2012137816.tif 000006
【図５】
2012137816.tif 000007
【図６】
2012137816.tif 000008
【図７】
2012137816.tif 000009
【図８】
2012137816.tif 000010
【図９】
2012137816.tif 000011
【図１０】
2012137816.tif 000012
【図１１】
2012137816.tif 000013
【図１２】
2012137816.tif 000014
【図１３】
2012137816.tif 000015
【図１４】
2012137816.tif 000016
【図１５】
2012137816.tif 000017
【図１６】
2012137816.tif 000018
【手続補正書】
【提出日】平成25年3月19日(2013.3.19)
【手続補正１】
【補正対象書類名】特許請求の範囲
【補正対象項目名】全文
【補正方法】変更
【補正の内容】
【特許請求の範囲】
【請求項１】
複数の画素に画像データを供給する走査期間と前記画像データを供給しない非走査期間とを交互に繰り返して、前記画素が保持する画像データの書き換えを繰り返し行う表示装置であって、
当該表示装置を備えた電子機器に対するユーザの所定の操作及び前記電子機器への外部からの電波の少なくとも何れか一方の検出対象を検出する検出装置により前記検出対象が検出されると、該検出後における直近の走査期間を、前記検出対象が検出されなかった場合に予定されていたタイミングより早いタイミングに設け、さらに、
前記複数の画素は、一方向に伸びる複数の走査信号線と、他方向に伸びる複数のデータ信号線との交差部に対応して設けられ、
前記走査信号線を選択状態とする信号である選択信号を、各走査信号線に順次印加する走査線駆動回路と、
各データ信号線に画像データを書き込む信号線駆動回路と、
外部から入力された垂直同期信号に基づいて、前記選択信号を前記走査線駆動回路に出力するとともに、外部から入力された水平同期信号に基づいて、前記画像データの書き込みを指示する信号である書込指示信号を、前記信号線駆動回路に出力するタイミングコントローラとを備え、
前記信号線駆動回路は、前記データ信号線の本数に応じた数の信号線駆動部を有し、
いずれか１つの前記信号線駆動部は、前記検出装置に対して、前記検出対象の検出を指示する検出指示信号の出力を、前記非走査期間において行うことを特徴とする表示装置。
【請求項２】
前記検出装置により前記検出対象が検出されると、前記直近の走査期間を前記検出対象が検出された直後のタイミングに設けることを特徴とする請求項１に記載の表示装置。
【請求項３】
前記直近の走査期間のタイミングを早めた後における前記非走査期間の長さを、前記直近の走査期間のタイミングを早める前の前記非走査期間の長さより短くすることにより、前記走査期間の周期を前記直近の走査期間のタイミングを早める前の前記走査期間の周期より短くすることを特徴とする請求項１又は２に記載の表示装置。
【請求項４】
前記直近の走査期間のタイミングを早めた後は前記非走査期間を設けることなく前記走査期間を連続させることを特徴とする請求項３に記載の表示装置。
【請求項５】
１フレーム内で所定の周期で前記複数の画素を備える表示素子へ印加する電圧の極性を反転させることを特徴とする請求項１〜４の何れか一項に記載の表示装置。
【請求項６】
上記電圧の極性の反転がドット反転であることを特徴とする請求項５に記載の表示装置。
【請求項７】
前記検出装置は、当該表示装置の表示画面に備えられたタッチパネルを有し、
前記所定の操作は、前記タッチパネルに対する接触または接近であり、
前記検出装置は、前記タッチパネルに対する接触または接近を検出することを特徴とする請求項１〜６の何れか一項に記載の表示装置。
【請求項８】
前記検出装置は、外部からの前記電波を検出する無線周波数回路であることを特徴とする請求項１〜７の何れか一項に記載の表示装置。
【請求項９】
前記検出装置が前記検出対象を検出すると、前記検出装置による検出動作の周期を、前記検出対象を検出する前に比して短くさせることを特徴とする請求項１〜８の何れか一項に記載の表示装置。
【請求項１０】
表示素子を構成する前記複数の画素の各々のＴＦＴの半導体層には、酸化物半導体が用いられていることを特徴とする請求項１〜９の何れか一項に記載の表示装置。
【請求項１１】
前記酸化物半導体は、Ｉｎ−Ｇａ−Ｚｎ−Ｏであることを特徴とする請求項１０に記載の表示装置。
【請求項１２】
液晶表示装置であることを特徴とする請求項１〜１１の何れか一項に記載の表示装置。
【請求項１３】
有機エレクトロルミネッセンス表示装置であることを特徴とする請求項１〜１１の何れか一項に記載の表示装置。
【請求項１４】
請求項１〜１３の何れか一項に記載の表示装置と、前記検出装置とを備えることを特徴とする電子機器。
【請求項１５】
当該電子機器の全体の制御を行う制御部を更に備え、
前記制御部と前記表示装置とが通信可能に接続されており、
前記制御部は、前記検出装置により前記検出対象が検出されたか否かの情報を前記表示装置に送信し、
前記表示装置は、前記制御部から取得した前記情報に応じた前記走査期間の周期で、前記直近の走査期間のタイミングを早めた後の画像データの書き換えを行うことを特徴とする請求項１４に記載の電子機器。
【請求項１６】
複数の画素に画像データを供給する走査期間と前記画像データを供給しない非走査期間とを交互に繰り返して、前記画素が保持する画像データの書き換えを繰り返し行う表示装置を備えた電子機器であって、
当該電子機器に対するユーザの所定の操作及び当該電子機器への外部からの電波の少なくとも何れか一方の検出対象を検出する検出装置を備え、
前記検出装置は、前記検出対象を検出すると、前記検出動作の周期を、前記検出対象を検出する前に比して短くし、
前記表示装置は、
前記複数の画素は、一方向に伸びる複数の走査信号線と、他方向に伸びる複数のデータ信号線との交差部に対応して設けられ、
前記走査信号線を選択状態とする信号である選択信号を、各走査信号線に順次印加する走査線駆動回路と、
各データ信号線に画像データを書き込む信号線駆動回路と、
外部から入力された垂直同期信号に基づいて、前記選択信号を前記走査線駆動回路に出力するとともに、外部から入力された水平同期信号に基づいて、前記画像データの書き込みを指示する信号である書込指示信号を、前記信号線駆動回路に出力するタイミングコントローラとを備え、
前記信号線駆動回路は、前記データ信号線の本数に応じた数の信号線駆動部を有し、
いずれか１つの前記信号線駆動部は、前記検出装置に対して、前記検出対象の検出を指示する検出指示信号の出力を、前記非走査期間において行うものであることを特徴とする電子機器。
【請求項１７】
複数の画素に画像データを供給する走査期間と前記画像データを供給しない非走査期間とを交互に繰り返して、前記画素が保持する画像データの書き換えを繰り返し行う表示装置の制御方法であって、
前記表示装置は、
前記複数の画素は、一方向に伸びる複数の走査信号線と、他方向に伸びる複数のデータ信号線との交差部に対応して設けられ、
前記走査信号線を選択状態とする信号である選択信号を、各走査信号線に順次印加する走査線駆動回路と、
各データ信号線に画像データを書き込む信号線駆動回路と、
外部から入力された垂直同期信号に基づいて、前記選択信号を前記走査線駆動回路に出力するとともに、外部から入力された水平同期信号に基づいて、前記画像データの書き込みを指示する信号である書込指示信号を、前記信号線駆動回路に出力するタイミングコントローラとを備え、
前記信号線駆動回路は、前記データ信号線の本数に応じた数の信号線駆動部を有し、
いずれか１つの前記信号線駆動部は、検出装置に対して、前記検出対象の検出を指示する検出指示信号の出力を、前記非走査期間において行うものであり、
当該表示装置を備えた電子機器に対するユーザの所定の操作及び前記電子機器への外部からの電波の少なくとも何れか一方の検出対象を検出する前記検出装置により前記検出対象が検出されると、該検出後における直近の走査期間を、前記検出対象が検出されなかった場合に予定されていたタイミングより早いタイミングに設けることを特徴とする表示装置の制御方法。
【請求項１８】
複数の画素に画像データを供給する走査期間と前記画像データを供給しない非走査期間とを交互に繰り返して、前記画素が保持する画像データの書き換えを繰り返し行う表示装置と、当該電子機器に対するユーザの所定の操作及び当該電子機器への外部からの電波の少なくとも何れか一方の検出対象を検出する検出装置とを備えた電子機器の制御方法であって、
前記表示装置は、
前記複数の画素は、一方向に伸びる複数の走査信号線と、他方向に伸びる複数のデータ信号線との交差部に対応して設けられ、
前記走査信号線を選択状態とする信号である選択信号を、各走査信号線に順次印加する走査線駆動回路と、
各データ信号線に画像データを書き込む信号線駆動回路と、
外部から入力された垂直同期信号に基づいて、前記選択信号を前記走査線駆動回路に出力するとともに、外部から入力された水平同期信号に基づいて、前記画像データの書き込みを指示する信号である書込指示信号を、前記信号線駆動回路に出力するタイミングコントローラとを備え、
前記信号線駆動回路は、前記データ信号線の本数に応じた数の信号線駆動部を有し、
いずれか１つの前記信号線駆動部は、前記検出装置に対して、前記検出対象の検出を指示する検出指示信号の出力を、前記非走査期間において行うものであり、
前記検出装置は、前記検出対象を検出すると、前記検出動作の周期を、前記検出対象を検出する前に比して短くすることを特徴とする電子機器の制御方法。
【手続補正２】
【補正対象書類名】明細書
【補正対象項目名】０１０５
【補正方法】変更
【補正の内容】
【０１０５】
図７に示すように、本実施形態に係る電子機器１００においては、ＴＰ操作が発生すると、それ以降の非走査期間の長さを短くすることにより、前記走査期間の周期を、前記ＴＰ操作前（直近の走査期間の前倒し前）における走査期間の周期より短くしている。
【手続補正書】
【提出日】平成25年6月24日(2013.6.24)
【手続補正１】
【補正対象書類名】特許請求の範囲
【補正対象項目名】全文
【補正方法】変更
【補正の内容】
【特許請求の範囲】
【請求項１】
複数の画素に画像データを供給する走査期間と前記画像データを供給しない非走査期間とを交互に繰り返して、前記画素が保持する画像データの書き換えを繰り返し行う表示装置であって、
当該表示装置を備えた電子機器に対するユーザの所定の操作及び前記電子機器への外部からの電波の少なくとも何れか一方の検出対象を検出する検出装置により前記検出対象が検出されると、該検出後における直近の走査期間を、前記検出対象が検出されなかった場合に予定されていたタイミングより早いタイミングに設け、さらに、
前記複数の画素は、一方向に伸びる複数の走査信号線と、他方向に伸びる複数のデータ信号線との交差部に対応して設けられ、
前記走査信号線を選択状態とする信号である選択信号を、各走査信号線に順次印加する走査線駆動回路と、
各データ信号線に画像データを書き込む信号線駆動回路と、
外部から入力された垂直同期信号に基づいて、前記選択信号を前記走査線駆動回路に出力するとともに、外部から入力された水平同期信号に基づいて、前記画像データの書き込みを指示する信号である書込指示信号を、前記信号線駆動回路に出力するタイミングコントローラとを備え、
前記信号線駆動回路は、前記データ信号線の本数に応じた数の信号線駆動部を有し、
いずれか１つの前記信号線駆動部は、前記検出装置に対して、前記検出対象の検出を指示する検出指示信号の出力を、前記非走査期間において行うことを特徴とする表示装置。
【請求項２】
前記検出装置により前記検出対象が検出されると、前記直近の走査期間を前記検出対象が検出された直後のタイミングに設けることを特徴とする請求項１に記載の表示装置。
【請求項３】
前記直近の走査期間のタイミングを早めた後における前記非走査期間の長さを、前記直近の走査期間のタイミングを早める前の前記非走査期間の長さより短くすることにより、前記走査期間の周期を前記直近の走査期間のタイミングを早める前の前記走査期間の周期より短くすることを特徴とする請求項１又は２に記載の表示装置。
【請求項４】
前記直近の走査期間のタイミングを早めた後は前記非走査期間を設けることなく前記走査期間を連続させることを特徴とする請求項３に記載の表示装置。
【請求項５】
１フレーム内で所定の周期で前記複数の画素を備える表示素子へ印加する電圧の極性を反転させることを特徴とする請求項１〜４の何れか一項に記載の表示装置。
【請求項６】
上記電圧の極性の反転がドット反転であることを特徴とする請求項５に記載の表示装置。
【請求項７】
前記検出装置は、当該表示装置の表示画面に備えられたタッチパネルを有し、
前記所定の操作は、前記タッチパネルに対する接触または接近であり、
前記検出装置は、前記タッチパネルに対する接触または接近を検出することを特徴とする請求項１〜６の何れか一項に記載の表示装置。
【請求項８】
前記検出装置は、外部からの前記電波を検出する無線周波数回路であることを特徴とする請求項１〜７の何れか一項に記載の表示装置。
【請求項９】
前記検出装置が前記検出対象を検出すると、前記検出装置による検出動作の周期を、前記検出対象を検出する前に比して短くさせることを特徴とする請求項１〜８の何れか一項に記載の表示装置。
【請求項１０】
表示素子を構成する前記複数の画素の各々のＴＦＴの半導体層には、酸化物半導体が用いられていることを特徴とする請求項１〜９の何れか一項に記載の表示装置。
【請求項１１】
前記酸化物半導体は、ＩｎＧａＺｎＯｘであることを特徴とする請求項１０に記載の表示装置。
【請求項１２】
液晶表示装置であることを特徴とする請求項１〜１１の何れか一項に記載の表示装置。
【請求項１３】
請求項１〜１２の何れか一項に記載の表示装置と、前記検出装置とを備えることを特徴とする電子機器。
【請求項１４】
当該電子機器の全体の制御を行う制御部を更に備え、
前記制御部と前記表示装置とが通信可能に接続されており、
前記制御部は、前記検出装置により前記検出対象が検出されたか否かの情報を前記表示装置に送信し、
前記表示装置は、前記制御部から取得した前記情報に応じた前記走査期間の周期で、前記直近の走査期間のタイミングを早めた後の画像データの書き換えを行うことを特徴とする請求項１３に記載の電子機器。
【請求項１５】
複数の画素に画像データを供給する走査期間と前記画像データを供給しない非走査期間とを交互に繰り返して、前記画素が保持する画像データの書き換えを繰り返し行う表示装置を備えた電子機器であって、
当該電子機器に対するユーザの所定の操作及び当該電子機器への外部からの電波の少なくとも何れか一方の検出対象を検出する検出装置を備え、
前記検出装置は、前記検出対象を検出すると、前記検出装置による検出動作の周期を、前記検出対象を検出する前に比して短くし、
前記表示装置は、
前記複数の画素は、一方向に伸びる複数の走査信号線と、他方向に伸びる複数のデータ信号線との交差部に対応して設けられ、
前記走査信号線を選択状態とする信号である選択信号を、各走査信号線に順次印加する走査線駆動回路と、
各データ信号線に画像データを書き込む信号線駆動回路と、
外部から入力された垂直同期信号に基づいて、前記選択信号を前記走査線駆動回路に出力するとともに、外部から入力された水平同期信号に基づいて、前記画像データの書き込みを指示する信号である書込指示信号を、前記信号線駆動回路に出力するタイミングコントローラとを備え、
前記信号線駆動回路は、前記データ信号線の本数に応じた数の信号線駆動部を有し、
いずれか１つの前記信号線駆動部は、前記検出装置に対して、前記検出対象の検出を指示する検出指示信号の出力を、前記非走査期間において行うものであることを特徴とする電子機器。
【請求項１６】
複数の画素に画像データを供給する走査期間と前記画像データを供給しない非走査期間とを交互に繰り返して、前記画素が保持する画像データの書き換えを繰り返し行う表示装置の制御方法であって、
前記表示装置は、
前記複数の画素は、一方向に伸びる複数の走査信号線と、他方向に伸びる複数のデータ信号線との交差部に対応して設けられ、
前記走査信号線を選択状態とする信号である選択信号を、各走査信号線に順次印加する走査線駆動回路と、
各データ信号線に画像データを書き込む信号線駆動回路と、
外部から入力された垂直同期信号に基づいて、前記選択信号を前記走査線駆動回路に出力するとともに、外部から入力された水平同期信号に基づいて、前記画像データの書き込みを指示する信号である書込指示信号を、前記信号線駆動回路に出力するタイミングコントローラとを備え、
前記信号線駆動回路は、前記データ信号線の本数に応じた数の信号線駆動部を有し、
いずれか１つの前記信号線駆動部は、当該表示装置を備えた電子機器に対するユーザの所定の操作及び前記電子機器への外部からの電波の少なくとも何れか一方の検出対象を検出する検出装置に対して、前記検出対象の検出を指示する検出指示信号の出力を、前記非走査期間において行うものであり、
前記検出装置により前記検出対象が検出されると、該検出後における直近の走査期間を、前記検出対象が検出されなかった場合に予定されていたタイミングより早いタイミングに設けることを特徴とする表示装置の制御方法。
【請求項１７】
複数の画素に画像データを供給する走査期間と前記画像データを供給しない非走査期間とを交互に繰り返して、前記画素が保持する画像データの書き換えを繰り返し行う表示装置と、電子機器に対するユーザの所定の操作及び当該電子機器への外部からの電波の少なくとも何れか一方の検出対象を検出する検出装置とを備えた電子機器の制御方法であって、
前記表示装置は、
前記複数の画素は、一方向に伸びる複数の走査信号線と、他方向に伸びる複数のデータ信号線との交差部に対応して設けられ、
前記走査信号線を選択状態とする信号である選択信号を、各走査信号線に順次印加する走査線駆動回路と、
各データ信号線に画像データを書き込む信号線駆動回路と、
外部から入力された垂直同期信号に基づいて、前記選択信号を前記走査線駆動回路に出力するとともに、外部から入力された水平同期信号に基づいて、前記画像データの書き込
みを指示する信号である書込指示信号を、前記信号線駆動回路に出力するタイミングコントローラとを備え、
前記信号線駆動回路は、前記データ信号線の本数に応じた数の信号線駆動部を有し、
いずれか１つの前記信号線駆動部は、前記検出装置に対して、前記検出対象の検出を指示する検出指示信号の出力を、前記非走査期間において行うものであり、
前記検出装置は、前記検出対象を検出すると、当該検出装置による検出動作の周期を、前記検出対象を検出する前に比して短くすることを特徴とする電子機器の制御方法。
【手続補正２】
【補正対象書類名】明細書
【補正対象項目名】０１４８
【補正方法】変更
【補正の内容】
【０１４８】
（ＴＦＴ）
前記各実施形態の表示パネル部（表示素子）２においては、ＴＦＴとして、その半導体層にいわゆる酸化物半導体を用いたＴＦＴを採用することが好ましい。この酸化物半導体には、例えばＩｎＧａＺｎＯｘが含まれる。この構成では、各画素に対する画素データの書き込みを高速に行うことができる。
【国際調査報告】
2012137816.tif 000019
2012137816.tif 000020
2012137816.tif 000021
2012137816.tif 000022
2012137816.tif 000023
2012137816.tif 000024
2012137816.tif 000025
2012137816.tif 000026